(57)【要約】      （修正有）【課題】装着者の身体の大きさに対応し、長さ方向の調節ができ、かつ、部位を限定せずに、患部を、冷却または温熱することができる冷温ブロック体を提供する。【解決手段】冷温ブロック体１は、冷温部材と、該冷温部材を保持する本体部５と、該本体部５の周縁ａ、ｂから突出した複数の接続部材２１、２２と、を有する冷温ブロック１１、１２を複数有し、かつ、これら前記冷温ブロック１１、１２が前記接続部材２１、２２によって互いに連結している。【選択図】図１
2010274076.tif 000002
【特許請求の範囲】
【請求項１】
冷温部材と、
該冷温部材を保持する本体部と、
該本体部の周縁から突出した複数の接続部材と、を有する冷温ブロックを複数有し、かつ、これら前記冷温ブロックが前記接続部材によって互いに連結していることを特徴とする冷温ブロック体。
【請求項２】
前記複数の接続部材は、互いの間に前記本体部の中心を挟む位置に設けられていることを特徴とする請求項１に記載の冷温ブロック体。
【請求項３】
前記接続部材は、伸縮可能な部材で構成されていることを特徴とする請求項１または請求項２に記載の冷温ブロック体。
【請求項４】
前記本体部の少なくとも一方の表面から突出した凸部を備えていることを特徴とする請求項１または請求項３のうちいずれか一項に記載の冷温ブロック体。
【請求項５】
冷温部材と、
該冷温部材を保持する本体部と、
該本体部の周縁から突出した複数の接続部材と、を有する冷温ブロックを複数有し、かつ、これら前記冷温ブロックが前記接続部材によって互いに連結した冷温ブロック体を備えた冷温ブロック着用体において、
該冷温ブロック体同士が、互いに連結することによって環状形状に設けられた一対の環状部と、該一対の環状部の一部同士を互いに連結する直線状の連結部を備えていることを特徴とする冷温ブロック着用体。
【請求項６】
前記本体部の平面形状が台形に形成されていることを特徴とする請求項５に記載の冷温ブロック体。
【発明の詳細な説明】
【技術分野】
【０００１】  本発明は、装着者の患部を保冷することができかつ、装着者の患部を保温することができる冷温ブロック体に関する。
【背景技術】
【０００２】  一般に、発熱したときにおいて、解熱するためには、おでこを冷やすよりも、わきの下や、背中、足の付け根など、皮膚の下を大きな血管が通っている部位を冷やすのが効果的であり、例えば、いわゆる冷温部材を、わきの下にあてることによって解熱を図ってきた。【０００３】  前述した特許文献１に記載された、保冷用被服は、被服と、被服の脇下部に取り付けられたポケットと、ポケットに収容された板状の冷温部材とを備えている。【０００４】  被服は、体幹部を覆う前身頃と、後身頃から構成されている。前身頃と後身頃とを重ねて、前身頃と後身頃との肩線同士を縫い合わせて、前身頃と後身頃との脇下同士を合わせて縫い合わせたものである。【０００５】  ポケットは、被服の外側に縫い付けられて被服と一体に形成されており、ポケットの開口部を介して冷温部材が出し入れ自在になっている。【０００６】  冷温部材としては、それ自体は低温物質ではないが、冷蔵庫や冷凍庫に出し入れすることにより保冷を得ることができるもの（例えば、商品名「アイスノン」等）や、氷を収容したゴム等を冷温部材として用いてもよい。
【先行技術文献】
【特許文献】
【０００７】
【特許文献１】特開２００３−５５８１１号公報
【発明の概要】
【発明が解決しようとする課題】
【０００８】  しかしながら、従来の保冷用被服においては、被服に、冷温部材を収容するポケットを一体に取り付けているため、装着者の身体の大きさに対応したものでなくてはならず、例えば成長期の子供においては、装着者の身体の大きさに対応したものを都度購入する必要があり、経済的ではないという問題があった。【０００９】  また、冷却剤を収容するポケットは、脇の下にのみ設けられているため、冷却する箇所を限定するという問題があった。【００１０】  そこで、本発明は、上記のような問題点に着目し、装着者の身体の大きさに対応し、長さ方向の調節ができ、かつ、部位を限定せずに、患部を、冷却または温熱することができる冷温ブロック体を提供することを課題とする。
【課題を解決するための手段】
【００１１】  上記課題を解決するためになされた請求項１記載の冷温ブロック体は、冷温部材と、該冷温部材を保持する本体部と、該本体部の周縁から突出した複数の接続部材と、を有する冷温ブロックを複数有し、かつ、これら前記冷温ブロックが前記接続部材によって互いに連結していることを特徴としている。【００１２】  請求項２記載の冷温ブロック体は、請求項１記載の冷温ブロック体において、前記複数の接続部材は、互いの間に前記本体部の中心を挟む位置に設けられていることを特徴としている。【００１３】  請求項３記載の冷温ブロック体は、請求項１記載または請求項２に記載の冷温ブロック体において、前記接続部材は、伸縮可能な部材で構成されていることを特徴としている。【００１４】  請求項４記載の冷温ブロック体は、請求項１乃至請求項３に記載の冷温ブロック体において、前記本体部の少なくとも一方の表面から突出した凸部を備えていることを特徴としている。【００１５】  請求項５記載の冷温ブロック着用体は、冷温部材と、該冷温部材を保持する本体部と、該本体部の周縁から突出した複数の接続部材と、を有する冷温ブロックを複数有し、かつ、これら前記冷温ブロックが前記接続部材によって互いに連結した冷温ブロック体を備えた冷温ブロック着用体において、該冷温ブロック体同士が、互いに連結することによって環状形状に設けられた一対の環状部と、該一対の環状部の周縁同士を互いに連結する直線状の連結部を備えていることを特徴としている。【００１６】  請求項６記載の冷温ブロック着用体は、請求項５に記載の冷温ブロック着用体において、前記本体部の平面形状が台形に形成されていることを特徴としている。
【発明の効果】
【００１７】  以上説明したように、請求項１記載の発明によれば、冷温ブロック体の長さ方向の調節が装着者の身体の大きさに対応し、連結する冷温ブロック体の数を変更することで可能となる。従って、身体の大きい大人から身体の小さい乳幼児まで、身体の大きさに寄らず使用することが可能である。【００１８】  請求項２記載の発明によれば、複数の接続部材は、互いの間に本体部の中心を挟む位置に設けられている。このため、装着者の患部に冷温ブロックが密着する。【００１９】  請求項３記載の発明によれば、接続部材としての第１接続部材及び第２接続部材の各帯部は伸縮性の部材によって構成されている。このため、長さ方向の調節が可能となる。したがって、冷温ブロック体を装着者の患部により近接させることができる。【００２０】  請求項４記載の発明によれば、冷温ブロック体の本体部の表面には、凸部が設けられている。従って、装着者の衣服の表面を滑らないため、冷温ブロック体がずれることがなく、確実に装着者の患部に取り付けることができる。【００２１】  請求項５記載の発明によれば、冷温ブロック着用体は、冷温ブロックを連結して環状に形成された環状部と、該一対の環状部の周縁の一部同士を互いに連結する直線状の連結した連結部とで形成されている。従って、あらかじめ、冷温ブロック着用体を形成しておくことにより、短時間で装着することが可能である。そして、発熱時には解熱する際に有効とされている、脇の下と、背中とを同時に冷却することが可能である。【００２２】  請求項６記載の発明によれば、本体部の平面形状が台形に形成されていることで、冷温着用体を装着者により密着させることができる。
【図面の簡単な説明】
【００２３】
【図１】本発明の第１の実施形態にかかる冷温ブロック体が組み立てられる前の状態を示す平面図である。
【図２】図１に示された冷温ブロック体を裏側から見た平面図である。
【図３】図１に示された冷温ブロック体のＡ−Ａ線に沿う断面図である。
【図４】図１に示された冷温ブロック体が組み立てられた状態を示す上面図である。
【図５】本発明の第２の実施形態にかかる冷温ブロック着用体が組み立てられる前の状態を示す平面図である。
【図６】本発明の第２の実施形態にかかる冷温ブロック着用体の斜視図である。
【図７】本発明の第３の実施形態にかかる冷温ブロック着用体の斜視図である。
【発明を実施するための形態】
【００２４】  以下、本発明の第１の実施形態にかかる冷温ブロック体１を、図１乃至図４を参照して説明する。冷温ブロック体１は、２つの冷温ブロック１１、１２が接続部材としての第１接続部材２１及び第２接続部材２２によって互いに連結されて構成されている。冷温ブロック１１、１２は、冷温部材４と、冷温部材４を保持する本体部５と、本体部５と他の冷温ブロック１１、１２の本体部５とを接続する接続部材としての第１接続部材２１及び第２接続部材２２と、を備えている。
【００２５】  冷温部材４としては、それ自体は低温物質ではないが、冷蔵庫や冷凍庫に出し入れすることにより保冷を得ることができるもの（例えば、商品名「アイスノン」等）や、氷を収容したゴム等を用いてもよい。
【００２６】  本体部５は、平面形状が丸形に形成されている。本体部５は、袋状に形成されている。即ち本体部５は、冷温ブロック体１が装着されると、装着者の患部に近接する裏面７と、該裏面７に重ねられる表面８と、これら表面８と裏面７とを周方向に接着する取付部（図示しない）と、該本体部５の中心５ａを通りかつ、互いに直線状に配された接続部材としての第１接続部材２１及び第２接続部材２２と、を備えている。
【００２７】  なお、本体部５は、特に限定しないが、綿などの吸汗性の高い素材や伸縮性の良いものや用いるのが好ましい。また、本体部５を形成する部材の厚みは、冷温部材４の冷気が充分に伝達するように薄くするのが望ましい。また、本体部５は、メッシュ状にしても良い。これにより、冷気の伝達性を向上させても良い。
【００２８】  表面８は、本体部５に冷温部材４を出し入れする開口部２７を設けている。
【００２９】  開口部２７は、前記本体部５の前記中心５ａを通りかつ、表面８の全長に亘り設けられている。この開口部２７を通して、前述した冷温部材４を出し入れする。
【００３０】  裏面７は、本体部５（即ち冷温ブロック体１）を、すべることなく装着者の患部近傍に位置付ける凸部２６を設けている。
【００３１】  凸部２６は、裏面７の外表面から凸に設けられている。
【００３２】  接続部材としての第１接続部材２１は、伸縮性の部材で構成された帯部２３と、後述する第２接続部材２２の係合受け部２６に係合する係合部２４と、を備えている。帯部２３は、その長手方向が後述する第２接続部材２２の帯部２５より長い寸法に形成されている。帯部２３の一方の端は、本体部５の周縁ａの一部に取り付けられているとともに、該周縁ａから突出するように設けられている。帯部２３の他方の端には、係合部２４が設けられている。
【００３３】  接続部材としての第２接続部材２２は、伸縮性の部材で構成された帯部２５と、係合受け部２６と、を備えている。帯部２５の一方の端は、本体部５の周縁ｂの一部に取り付けられているとともに、該周縁ｂから突出するように設けられている。帯部２５の他方の端には、係合受け部２６が設けられている。
【００３４】  次に上述した冷温ブロック体１を、例えば、装着者が流行性耳下腺炎（おたふく）の場合など、装着者の両耳下に装着する装着方法を説明する。最初に、冷温ブロック１１、１２の各本体部５には、当該本体部５の開口部２７を通して、冷温部材４を収納する。
【００３５】  そして、冷温ブロック１１の係合受け部２６と、冷温ブロック体１２の係合部２４とを係合する。そして、装着者の頭部の外周に巻きつけて、冷温ブロック１１の係合部２４と、冷温ブロック体１２の係合受け部２６とを係合する。こうして、２つの冷温ブロック１１、１２が、連結されて冷温ブロック体１が完成するとともに、該冷温ブロック体１が装着者に装着される。この際、伸縮性を備えた接続部材としての第１接続部材２１及び第２接続部材２２が伸びたり、縮んだりすることにより、装着者の患部に冷温部材４を収納した本体部５が密着する。
【００３６】  上述した冷温ブロック体１によれば、冷温ブロック体１の長さ方向の調節が装着者の身体の大きさに対応し、連結する冷温ブロック体１の数を変更することで可能となる。従って、身体の大きい大人から身体の小さい乳幼児まで、身体の大きさに寄らず使用することが可能である。
【００３７】  また、接続部材としての第１接続部材２１及び第２接続部材２２は、互いの間に本体部５の中心５ａを挟む位置に設けられている。このため、装着者の患部に冷温ブロック１１、１２が密着する。
【００３８】  また、接続部材としての第１接続部材２１及び第２接続部材２２の各帯部２３、２５は伸縮性の部材によって構成されている。このため、長さ方向の調節が可能となる。したがって、冷温ブロック体１を装着者の患部により密着させることができる。
【００３９】  また、冷温ブロック体１の本体部５の裏面８には、凸部２６が設けられている。従って、装着者の衣服の表面を滑らないため、冷温ブロック体１がずれることがなく、確実に装着者の患部に取り付けることができる。
【００４０】  次に、第２の実施形態にかかる冷温ブロック着用体１０１を、図５乃至図７を参照して説明する。また、前述した第１の実施形態と同一構成部分には同一符号を付して説明を省略する。
【００４１】  冷温ブロック着用体１０１は、該冷温ブロック体１３ａ、１３ｂ、１３ｃ、１４（または１５）同士が、互いに連結することによって環状形状に設けられた一対の環状部２ａ、２ｂと、該環状部２ａ、２ｂの周縁ａ、ｂ、ｃの一部同士を互いに連結するとともに、該冷温ブロック体１３ａ、１３ｂ、１３ｃ同士が、互いに連結することによって構成された直線状の連結部３を備えている。
【００４２】  一対の環状部２ａ、２ｂには、装着者の腕それぞれが通される。一対のうち一方の環状部２ａは、３つの冷温ブロック１３ａ、１３ｂ、１３ｃと、１つの冷温ブロック１５と、が環状に連結されている。一対のうち他方の環状部２ｂは、図示例では、冷温ブロック１３ａ、１３ｂ、１３ｃと、１つの冷温ブロック１４と、が環状に連結されている。
【００４３】  冷温ブロック１３ａ、１３ｂ、１３ｃは、冷温部材４と、冷温部材４を保持する本体部１０５と、本体部１０５と他の冷温ブロック１３ａ、１３ｂ、１３ｃ、１４（または１５）の本体部１０５とを接続する接続部材としての２つの第１接続部材２１及び２つの第２接続部材２２と、を備えている。
【００４４】  本体部１０５は、袋状に形成されている。本体部１０５は、平面形状が四角形（即ち矩形状）に形成されている。即ち本体部１０５は、冷温ブロック着用体１０１が装着されると、装着者の患部に近接する裏面７と、該裏面７に重ねられる表面８と、該表面８と裏面７とを周方向に接着する取付部（図示しない）と、を備えている。
【００４５】  第１接続部材２１は、伸縮性の部材で構成された帯部２３と、第２接続部材２２の係合受け部２６に係合する係合部２４と、を備えている。帯部２３の一方の端は、本体部１０５の周縁ａの両端部に取り付けられているとともに、該周縁ａから突出するように設けられている。帯部２３の他方の端には、係合部２４が設けられている。
【００４６】  第２接続部材２２は、伸縮性の部材で構成された帯部２５と、係合受け部２６と、を備えている。帯部２５の一方の端は、本体部１０５の周縁ａに相対する周縁ｂの両端部から突出する格好で取り付けられている。
【００４７】  冷温ブロック１４は、冷温部材４と、冷温部材４を保持する本体部１０５と、本体部１０５と他の冷温ブロック１３ａ、１３ｂ、１３ｃの本体部１０５とを接続する接続部材としての４つの第１接続部材２１及び２つの第２接続部材２２と、を備えている。
【００４８】  第１接続部材２１は、４つ設けられている。第１接続部材２１は、伸縮性の部材で構成された帯部２３と、第２接続部材２２の係合受け部２６に係合する係合部２４と、を備えている。４つの第１接続部材２１のうち２つの帯部２３の一方の端は、本体部１０５の周縁ａの両端部に取り付けられているとともに、該周縁ａから突出するように設けられている。残り２つの第１接続部材２１の帯部２３の一方の端は、本体部１０５の周縁ａと互いに隣り合う周縁ｃの両端部に取り付けられているとともに、該周縁ｃから突出するように設けられている。帯部２３の他方の端には、係合部２４が設けられている。
【００４９】  第２接続部材２２は、２つ設けられている。第２接続部材２２は、伸縮性の部材で構成された帯部２５と、係合受け部２６と、を備えている。２つの第２接続部材２２の帯部２５の一方の端は、本体部１０５の周縁ａと相対する周縁ｂの両端部に取り付けられているとともに、該周縁ｂから突出するように設けられている。帯部２５の他方の端には、係合受け部２６が設けられている。
【００５０】  冷温ブロック１５は、冷温部材４と、冷温部材４を保持する本体部１０５と、本体部１０５と他の冷温ブロック１３ａ、１３ｂ、１３ｃとを接続する接続する接続部材としての２つの第１接続部材２１及び４つの第２接続部材２２と、を備えている。
【００５１】  第１接続部材２１は、２つ設けられている。第１接続部材２１は、伸縮性の部材で構成された帯部２３と、第２接続部材２２の係合受け部２６に係合する係合部２４と、を備えている。２つの第１接続部材２１の帯部２３の一方の端は、本体部１０５の周縁ａの両端部に取り付けられているとともに、該周縁ａから突出するように設けられている。帯部２３の他方の端には、係合部２４が設けられている。
【００５２】  第２接続部材２２は、４つ設けられている。第２接続部材２２は、伸縮性の部材で構成された帯部２５と、係合受け部２６と、を備えている。４つの第２接続部材２２のうち２つの帯部２５の一方の端は、本体部１０５の周縁ａと互いに相対する周縁ｂの両端部に取り付けられているとともに、該周縁ｂから突出するように設けられている。残り２つの第２接続部材２２の帯部２５の一方の端は、本体部１０５の周縁ｂと互いに隣り合う周縁ｃの両端部に取り付けられているとともに、該周縁ｃから突出するように設けられている。帯部２３の他方の端には、係合受け部２６が設けられている。
【００５３】  環状部２ａは、３つの冷温ブロック１３ａ、１３ｂ、１３ｃと１つの冷温ブロック１５が連結して構成されている。冷温ブロック１３ａの第１接続部材２１と、冷温ブロック１３ｂの第２接続部２２とが係合する。そして、冷温ブロック１３ｂの第１接続部２１と冷温ブロック１３ｃの第２接続部材２２とが係合する。そして、冷温ブロック１３ｃの第１接続部材２１と、冷温ブロック１５の周縁ｂに設けられた第２接続部材２２とが係合する。こうして、環状部２ａが組み立てられる。
【００５４】  環状部２ｂは、３つの冷温ブロック１３ａ、１３ｂ、１３ｃと１つの冷温ブロック１４が連結して構成されている。冷温ブロック１３ａの第１接続部材２１と、冷温ブロック１３ｂの第２接続部２２とが係合する。そして、冷温ブロック１３ｂの第１接続部２１と冷温ブロック１３ｃの第２接続部材２２とが係合する。そして、冷温ブロック１３ｃの第１接続部材２１と、冷温ブロック１４の周縁ｂに設けられた第２接続部材２２とが係合する。こうして、環状部２ｂが組み立てられる。
【００５５】  連結部３は、３つの冷温ブロック１３ａ、１３ｂ、１３ｃとが直線状に連結して構成されている。冷温ブロック１３ａの第１接続部材２１と、冷温ブロック１３ｂの第２接続部材２２とが係合する。そして、冷温ブロック１３ｂの第１接続部材２１と冷温ブロック１３ｃの第２接続部材２２とが係合する。こうして、連結部３が組み立てられる。
【００５６】  そして、環状部２ａの冷温ブロック１５の周縁ｃの第２接続部材２２と連結部３の冷温ブロック１３ｃの第１接続部２１とを係合する。そして、環状部２ｂの冷温ブロック１４の周縁ｃの第１接続部材２１と連結部３の冷温ブロック１３ａの第２接続部材２２とを係合する。こうして、冷温ブロック着用体１０１が完成する。このように、冷温ブロック着用体１０１は、複数の冷温ブロック１３ａ、１３ｂ、１３ｃ、１４、１５が連結して構成されている。
【００５７】  次に上述した冷温ブロック着用体１０１の装着方法を説明する。最初に、本体部１０５の開口部２７を通して、冷温部材４を本体部１０５に収納する。
【００５８】  そして、装着者の両腕に環状部２ａ、２ｂを通すとともに、連結部３を装着者の背中側に配する。こうして、冷温ブロック着用体１０１を装着することができる。このように、あらかじめ、冷温ブロック着用体１０１を形成しておくことにより、短時間で装着することが可能である。そして、発熱時には解熱する際に有効とされている、脇の下と、背中とを同時に冷却することが可能である。
【００５９】  次に、第３の実施形態にかかる冷温ブロック着用体２０１を、図７を参照して説明する。また、前述した第１の実施形態及び第２の実施形態と同一構成部分には同一符号を付して説明を省略する。
【００６０】  冷温ブロック着用体２０１は、該冷温ブロック体１３ａ、１３ｂ、１３ｃ、１４（または１５）同士が、互いに連結することによって環状形状に設けられた一対の環状部２ａ、２ｂと、該環状部２ａ、２ｂの周縁ａ、ｂ、ｃの一部同士を互いに連結するとともに、該冷温ブロック体１３ａ、１３ｂ、１３ｃ同士が、互いに連結することによって構成された直線状の連結部３を備えている。
【００６１】  一対の環状部２ａ、２ｂには、装着者の腕それぞれが通される。一対のうち一方の環状部２ａは、３つの冷温ブロック１３ａ、１３ｂ、１３ｃと、１つの冷温ブロック１５と、が環状に連結されている。一対のうち他方の環状部２ｂは、図示例では、冷温ブロック１３ａ、１３ｂ、１３ｃと、１つの冷温ブロック１４と、が環状に連結されている。
【００６２】  冷温ブロック１３ａ、１３ｂ、１３ｃは、冷温部材４と、冷温部材４を保持する本体部２０５と、本体部２０５と他の冷温ブロック１３ａ、１３ｂ、１３ｃ、１４（または１５）の本体部２０５とを接続する接続部材としての２つの第１接続部材２１及び２つの第２接続部材２２と、を備えている。
【００６３】  本体部２０５は、袋状に形成されている。本体部２０５は、平面形状が台形に形成されている。即ち本体部２０５は、冷温ブロック着用体２０１が装着されると、装着者の患部に近接する裏面７と、該裏面７に重ねられる表面８と、該表面８と裏面７とを周方向に接着する取付部（図示しない）と、を備えている。なお、本体部２０５の後述する周縁ａと相対する周縁ｂとの間に設けられている周縁ｃは、該周縁ｃと互いに相対する周縁ｄと、互いに平行である。また、周縁ｃの寸法は、周縁ｄの寸法よりも長く形成されている。本体部２０５は、このような台形に形成されている。
【００６４】  第１接続部材２１は、伸縮性の部材で構成された帯部２３と、第２接続部材２２の係合受け部２６に係合する係合部２４と、を備えている。帯部２３の一方の端は、本体部２０５の周縁ａの両端部に取り付けられているとともに、該周縁ａから突出するように設けられている。帯部２３の他方の端には、係合部２４が設けられている。
【００６５】  第２接続部材２２は、伸縮性の部材で構成された帯部２５と、係合受け部２６と、を備えている。帯部２５の一方の端は、本体部２０５の周縁ａに相対する周縁ｂの両端部から突出する格好で取り付けられている。
【００６６】  冷温ブロック１４は、冷温部材４と、冷温部材４を保持する本体部２０５と、本体部１０５と他の冷温ブロック１３ａ、１３ｂ、１３ｃの本体部２０５とを接続する接続部材としての４つの第１接続部材２１及び２つの第２接続部材２２と、を備えている。
【００６７】  第１接続部材２１は、４つ設けられている。第１接続部材２１は、伸縮性の部材で構成された帯部２３と、第２接続部材２２の係合受け部２６に係合する係合部２４と、を備えている。４つの第１接続部材２１のうち２つの帯部２３の一方の端は、本体部２０５の周縁ａの両端部に取り付けられているとともに、該周縁ａから突出するように設けられている。残り２つの第１接続部材２１の帯部２３の一方の端は、本体部２０５の周縁ａと互いに隣り合う周縁ｃの両端部に取り付けられているとともに、該周縁ｃから突出するように設けられている。帯部２３の他方の端には、係合部２４が設けられている。
【００６８】  第２接続部材２２は、２つ設けられている。第２接続部材２２は、伸縮性の部材で構成された帯部２５と、係合受け部２６と、を備えている。２つの第２接続部材２２の帯部２５の一方の端は、本体部２０５の周縁ａと相対する周縁ｂの両端部に取り付けられているとともに、該周縁ｂから突出するように設けられている。帯部２５の他方の端には、係合受け部２６が設けられている。
【００６９】  冷温ブロック１５は、冷温部材４と、冷温部材４を保持する本体部２０５と、本体部２０５と他の冷温ブロック１３ａ、１３ｂ、１３ｃとを接続する接続する接続部材としての２つの第１接続部材２１及び４つの第２接続部材２２と、を備えている。
【００７０】  第１接続部材２１は、２つ設けられている。第１接続部材２１は、伸縮性の部材で構成された帯部２３と、後述する第２接続部材２２の係合受け部２６に係合する係合部２４と、を備えている。２つの第１接続部材２１の帯部２３の一方の端は、本体部２０５の周縁ａの両端部に取り付けられているとともに、該周縁ａから突出するように設けられている。帯部２３の他方の端には、係合部２４が設けられている。
【００７１】  第２接続部材２２は、４つ設けられている。第２接続部材２２は、伸縮性の部材で構成された帯部２５と、係合受け部２６と、を備えている。４つの第２接続部材２２のうち２つの帯部２５の一方の端は、本体部２０５の周縁ａと互いに相対する周縁ｂの両端部に取り付けられているとともに、該周縁ｂから突出するように設けられている。残り２つの第２接続部材２２の帯部２５の一方の端は、本体部２０５の周縁ｂと互いに隣り合う周縁ｃの両端部に取り付けられているとともに、該周縁ｃから突出するように設けられている。帯部２３の他方の端には、係合受け部２６が設けられている。
【００７２】  環状部２ａは、３つの冷温ブロック１３ａ、１３ｂ、１３ｃと１つの冷温ブロック１５が連結して構成されている。そして、環状部２ａにおいては、互いに隣り合う冷温ブロック１３ａ、１３ｂ、１３ｃ、１５は、本体部２０５の周縁ｃが、装着者が冷温着用体２０１を装着した際に、内方向に配されるように並べられている。冷温ブロック１３ａの第１接続部材２１と、冷温ブロック１３ｂの第２接続部２２とが係合する。そして、冷温ブロック１３ｂの第１接続部２１と冷温ブロック１３ｃの第２接続部材２２とが係合する。そして、冷温ブロック１３ｃの第１接続部材２１と、冷温ブロック１５の周縁ｃに設けられた第２接続部材２２とが係合する。こうして、環状部２ａが組み立てられる。
【００７３】  環状部２ｂは、３つの冷温ブロック１３ａ、１３ｂ、１３ｃと１つの冷温ブロック１５が連結して構成されている。そして、環状部２ｂにおいては、互いに隣り合う冷温ブロック１３ａ、１３ｂ、１３ｃ、及び１４は、本体部２０５の周縁ｃが、装着者が冷温着用体２０１を装着した際に、内方向に配されるように並べられている。冷温ブロック１３ａの第１接続部材２１と、冷温ブロック１３ｂの第２接続部２２とが係合する。そして、冷温ブロック１３ｂの第１接続部２１と冷温ブロック１３ｃの第２接続部材２２とが係合する。そして、冷温ブロック１３ｃの第１接続部材２１と、冷温ブロック１４の周縁ｂに設けられた第２接続部材２２とが係合する。こうして、環状部２ｂが組み立てられる。また、冷温ブロック１４の周縁ｃに設けられた第１接続部材２１は、後述する連結部３の冷温ブロック１３ａの第２接続部材２２とが係合する。
【００７４】  連結部３は、３つの冷温ブロック１３ａ、１３ｂ、１３ｃとが直線状に連結して構成されている。そして、連結部３においては、互いに隣り合う冷温ブロック１３ａ、１３ｂ、１３ｃ、及び１４（または１５）は、本体部２０５の長手方向の長い方の周縁ｃ及び、本体部２０５の長手方向の短い方の周縁ｄが、互いに隣り合うように並べられている。こうして、連結部３は、直線状に連結されている。冷温ブロック１３ａの第１接続部材２１と、冷温ブロック１３ｂの第２接続部材２２とが係合する。
【００７５】  そして、環状部２ａの冷温ブロック１５の周縁ｃの第２接続部材２２と連結部３の冷温ブロック１３ｃの第１接続部２１とを係合する。そして、環状部２ｂの冷温ブロック１４の周縁ｃの第１接続部材２１と連結部３の冷温ブロック１３ａの第２接続部材２２とを係合する。こうして、冷温ブロック着用体２０１が完成する。このように、冷温ブロック着用体２０１は、複数の冷温ブロック１３ａ、１３ｂ、１３ｃ、１４、１５が連結して構成されている。
【００７６】  次に上述した冷温ブロック着用体２０１の装着方法を説明する。最初に、本体部２０５の開口部２７を通して、冷温部材４を本体部２０５に収納する。
【００７７】  そして、装着者の両腕に環状部２ａ、２ｂを通すとともに、連結部３を装着者の背中側に配する。こうして、冷温ブロック着用体２０１を装着することができる。このように、あらかじめ、冷温ブロック着用体２０１を形成しておくことにより、短時間で装着することが可能である。そして、発熱時には解熱する際に有効とされている、脇の下と、背中とを同時に冷却することが可能である。
【００７８】  また、本体部２０５の平面形状が台形に形成されていることで、冷温着用体２０１を装着者により密着させることができる。
【００７９】  なお、第１乃至第３の実施形態においては、例えば、係合部２４はボタンでも良く、係合受け部２６はボタンホールでも良い。
【００８０】  第１乃至第３の実施形態においては、冷温部材４は、保冷を得ることができるものを用いている。しかしながら、本発明においては、これに限ったものではない。冷温部材４として、温かい部材を用いてもよい。温かい部材としては、例えば、カイロや、湯たんぽを用いてもよい。
【００８１】  また、第１乃至第３の実施形態においては、冷温部材４及び本体部５（即ち本体部１０５、本体部２０５）及び接続部材としての第１接続部材２１及び第２接続部材２２とは、別体で構成されている。しかしながら、本発明においては、これに限ったものではない。冷温部材４及び本体部５（即ち本体部１０５、本体部２０５）及び接続部材としての第１接続部材２１及び第２接続部材２２とは、一体で構成されていてもよい。
【００８２】  また、第１の実施形態においては、冷温ブロック体１は、冷温ブロック１１、１２が２つ用いられて環状に連結されている。しかしながら、本発明においては、これに限ったものではない。冷温ブロック体１は、複数の冷温ブロック１１、１２が連結されて矩形状に形成されてもよい。冷温ブロック体１は、複数の冷温ブロック１１、１２が連結されて直線状に形成されてもよい。
【００８３】  また、第１の実施形態においては、本体部５は丸形に設けられている。また、第２の実施形態においては、本体部１０５は四角形（即ち矩形状）に設けられている。また、第３の実施形態においては、本体部２０５は、台形に設けられている。しかしながら、本発明においては、これに限ったものではない。本体部５は、三角形でもよい。本体部５は五角形でもよい。本体部５は多角形でもよい。
【００８４】  また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８５】１  冷温ブロック体
２  環状部
３  連結部
４  冷温部材
５、１０５、２０５  本体部
５ａ  中心
２１  第１接続部材（複数の接続部材）
２２  第２接続部材（複数の接続部材）
１１、１２、１３ａ、１３ｂ、１３ｃ、１４、１５  冷温ブロック
２６  凸部
１０１、２０１  冷温ブロック着用体
ａ、ｂ、ｃ  周縁
【図１】
2010274076.tif 000003
【図２】
2010274076.tif 000004
【図３】
2010274076.tif 000005
【図４】
2010274076.tif 000006
【図５】
2010274076.tif 000007
【図６】
2010274076.tif 000008
【図７】
2010274076.tif 000009